(57)【要約】【課題】最小限の長さの防水構造によって水の浸入を防止することができる防水リモコンを提供する。【解決手段】電池収納室２及びスイッチ１１が設けられたフレーム体３と、電池収納室２に対応する開口部４及びスイッチ１１に対応する操作部１５〜１５Ｔが設けられた一体成形の防水カバー５と、電池収納室２を覆う電池蓋６とを有し、フレーム体３が防水カバー５内に収容されると共に、防水カバー５の開口部４の開口縁４Ｆ部分がフレーム体３と電池蓋６とで挟持されることで、防水カバー５と電池蓋６とが水密に密着するように構成されるから、一箇所で且つ短い接触長さの防水構造によって、フレーム体３への水の浸入を防止することができる。また、防水カバー５のカバー側突条７３と電池収納室２の周囲の溝部７１が係合することで、防水カバー５の開口縁４Ｆ部分がフレーム体３に対して位置決めされるように構成した。【選択図】図２
2018032834.tif 000002
【特許請求の範囲】
【請求項１】
電池収納室及び一つ又は複数のスイッチが設けられたフレーム体と、
前記電池収納室に対応する開口部及び前記スイッチに対応する操作部が設けられた一体成形の防水カバーと、
前記電池収納室を覆う電池蓋とを有し、
前記フレーム体が前記防水カバー内に収容されると共に、前記防水カバーの開口部の開口縁部分が前記フレーム体と前記電池蓋とで挟持されることで、前記防水カバーと前記電池蓋とが水密に密着するように構成されることを特徴とする防水リモコン。
【請求項２】
前記防水カバーの内面の開口縁部分に凸部と凹部の一方が形成され、前記フレーム体の前記電池収納室の外側に、前記凸部と前記凹部の一方に対応して前記凸部と前記凹部の他方が形成されると共に、前記凸部と前記凹部が係合することで、前記防水カバーの開口縁部分が前記フレーム体に対して位置決めされるように構成したことを特徴とする請求項１記載の防水リモコン。
【請求項３】
前記凸部と前記凹部の一方が、前記開口縁部分の全周に渡って形成されると共に、前記凸部と前記凹部の他方が、前記電池収納室の全周を囲むように形成されることを特徴とする請求項２記載の防水リモコン。
【請求項４】
前記フレーム体に凹段部が形成され、この凹段部に前記電池収納室が設けられると共に、前記フレーム体に取付けた状態で前記電池蓋の外面が対応する前記防水カバーの外面より内側に位置することを特徴とする請求項１記載の防水リモコン。
【請求項５】
前記防水カバーが、伸縮性及び可撓性を有する材質により形成されると共に、前記開口部の開口面積が拡張した状態で前記フレーム体が前記防水カバー内に挿入される構造であることを特徴とする請求項１記載の防水リモコン。
【請求項６】
前記フレーム体が光信号発信部を有すると共に、前記防水カバーが、前記光信号発信部が発する光に対し透光性を有する材料で形成されることを特徴とする請求項１記載の防水リモコン。
【請求項７】
前記光信号発信部に対応して前記防水カバーに薄肉部が形成されたことを特徴とする請求項６記載の防水リモコン。
【発明の詳細な説明】
【技術分野】
【０００１】
本発明は、防水リモコンに関するものである。
【背景技術】
【０００２】
従来、この種の防水リモコンとしては、上ケースと下ケースを防水パッキンで防水すると共に電池カバーによって電池取出口を開閉し、この電池取出口と電池カバーの間を防水パッキンによって防水する構造のものが知られている（例えば特許文献１参照）。このように構成することにより、上ケース、下ケース、及び電池カバーの隙間から水がリモコン内に侵入することが防止される。
【先行技術文献】
【特許文献】
【０００３】
【特許文献１】特開平１０−２８５６７０号公報
【発明の概要】
【発明が解決しようとする課題】
【０００４】
しかしながら、このような防水リモコンは、ケースの全周に渡って防水構造を設ける必要があるばかりでなく、上ケースと下ケースの間及びケースと電池カバーの間というように、複数の防水構造を設ける必要があるため、防水構造の長さが長くなってしまい、水濡れの可能性が高くなる虞があった。
【０００５】
本発明は以上の問題点を解決し、最小限の長さの防水構造によって水の浸入を防止することができる防水リモコンを提供することを目的とする。
【課題を解決するための手段】
【０００６】
本発明の請求項１に記載の防水リモコンは、電池収納室及び一つ又は複数のスイッチが設けられたフレーム体と、前記電池収納室に対応する開口部及び前記スイッチに対応する操作部が設けられた一体成形の防水カバーと、前記電池収納室を覆う電池蓋とを有し、前記フレーム体が前記防水カバー内に収容されると共に、前記防水カバーの開口部の開口縁部分が前記フレーム体と前記電池蓋とで挟持されることで、前記防水カバーと前記電池蓋とが水密に密着するように構成されることを特徴とする。
【０００７】
また、本発明の請求項２に記載の防水リモコンは、請求項１において、前記防水カバーの内面の開口縁部分に凸部と凹部の一方が形成され、前記フレーム体の前記電池収納室の外側に、前記凸部と前記凹部の一方に対応して前記凸部と前記凹部の他方が形成されると共に、前記凸部と前記凹部が係合することで、前記防水カバーの開口縁部分が前記フレーム体に対して位置決めされるように構成した。
【０００８】
また、本発明の請求項３に記載の防水リモコンは、請求項２において、前記凸部と前記凹部の一方が、前記開口縁部分の全周に渡って形成されると共に、前記凸部と前記凹部の他方が、前記電池収納室の全周を囲むように形成されることを特徴とする。
【０００９】
また、本発明の請求項４に記載の防水リモコンは、請求項１において、前記フレーム体に凹段部が形成され、この凹段部に前記電池収納室が設けられると共に、前記フレーム体に取付けた状態で前記電池蓋の外面が対応する前記防水カバーの外面より内側に位置することを特徴とする。
【００１０】
また、本発明の請求項５に記載の防水リモコンは、請求項１において、前記防水カバーが、伸縮性及び可撓性を有する材質により形成されると共に、前記開口部の開口面積が拡張した状態で前記フレーム体が前記防水カバー内に挿入される構造であることを特徴とする。
【００１１】
更に、本発明の請求項６に記載の防水リモコンは、請求項１において、前記フレーム体が光信号発信部を有すると共に、前記防水カバーが、前記光信号発信部が発する光に対し透光性を有する材料で形成されることを特徴とする。
【００１２】
しかも、本発明の請求項７に記載の防水リモコンは、請求項６において、前記光信号発信部に対応して前記防水カバーに薄肉部が形成されたことを特徴とする。
【発明の効果】
【００１３】
本発明の請求項１に記載の防水リモコンは、以上のように構成することにより、前記防水カバーの開口縁部分と前記電池蓋とが密着して、前記防水カバー内の前記フレーム体が水密となるので、一箇所で且つ短い接触長さの防水構造によって、前記フレーム体への水の浸入を防止することができる。
【００１４】
なお、前記防水カバーの内面の開口縁部分に凸部と凹部の一方が形成され、前記フレーム体の前記電池収納室の外側に、前記凸部と前記凹部の一方に対応して前記凸部と前記凹部の他方が形成されると共に、前記凸部と前記凹部が係合することで、前記防水カバーの開口縁部分が前記フレーム体に対して位置決めされるように構成されるので、前記防水カバーの開口縁部分を確実に前記フレーム体と電池蓋とで挟持して、前記フレーム体への水の浸入を確実に防止することができる。
【００１５】
また、前記凸部と前記凹部の一方が、前記開口縁部分の全周に渡って形成されると共に、前記凸部と前記凹部の他方が、前記電池収納室の全周を囲むように形成されることで、前記防水カバーの開口縁部分全体が前記フレーム体に対して確実に位置決めされ、前記防水カバーの開口縁部分全体を確実に前記フレーム体と電池蓋とで挟持して、前記フレーム体への水の浸入を確実に防止することができる。
【００１６】
また、前記フレーム体に凹段部が形成され、この凹段部に前記電池収納室が設けられると共に、前記フレーム体に取付けた状態で前記電池蓋の外面が対応する前記防水カバーの外面より内側に位置することにより、リモコンをテーブル等に置いた際に前記電池蓋がテーブル等に触れないようにして、このテーブル等が傷つかないようにすることができる。
【００１７】
また、前記防水カバーが、伸縮性及び可撓性を有する材質により形成されると共に、前記開口部の開口面積が拡張した状態で前記フレーム体が前記防水カバー内に挿入される構造であることにより、前記防水カバーの開口縁部分と電池蓋との接触長さを最小限として、前記フレーム体への水の浸入をより確実に防止することができる。
【００１８】
更に、前記フレーム体が光信号発信部を有すると共に、前記防水カバーが、前記光信号発信部が発する光に対し透光性を有する材料で形成されることで、前記防水カバーに継ぎ目を作る必要がなく、前記フレーム体への水の浸入をより確実に防止することができる。
【００１９】
しかも、前記光信号発生部に対応して前記防止カバーに薄肉部が形成されたから、薄肉部の透光性が向上する。
【図面の簡単な説明】
【００２０】
【図１】本発明の実施例１を示す防水リモコンの分解斜視図ある。
【図２】同上、下部側から見た分解斜視図である。
【図３】同上、斜視図である。
【図４】同上、図３のＡ−Ａ線断面図である。
【図５】同上、図３のＢ−Ｂ線断面図である。
【図６】同上、電池蓋を外した状態の断面図である。
【図７】同上、防水カバーとフレーム体と電池蓋に分解した状態の断面図である。
【図８】本発明の実施例２を示す凸部と凹部の係合状態を示す断面図である。
【発明を実施するための形態】
【００２１】
以下、本発明における好適な実施の形態について、添付図面を参照して説明する。なお、以下に説明する実施の形態は、特許請求の範囲に記載された本発明の内容を限定するものではない。また、以下に説明される構成の全てが、本発明の必須要件であるとは限らない。
【実施例１】
【００２２】
以下、本発明の実施例１について、図１〜図７に基づいて説明する。１は本発明の防水リモコンである。この防水リモコン１は、下部に電池収納室２が設けられたフレーム体３と、前記電池収納室２に対応する開口部４を下部に有する防水カバー５と、前記電池収納室２を覆う電池蓋６とを有する。前記防水リモコン１は、前後方向に長く、左右幅寸法が高さ寸法より大きく形成されている。
【００２３】
前記防水カバー５は、防水性を有し、伸縮性及び可撓性を有するシリコンゴム等の材質により一体形成され、図２及び図６に示すように、前記開口部４を広げるように引っ張り、開口部４が拡張した状態で、前記防水カバー５内にフレーム体３を挿入することで、フレーム体３に防水カバー５を密着状態で外装することができる。
【００２４】
前記フレーム体３の上面には、複数のスイッチ１１，１１・・・が設けられている。これら複数のスイッチ１１，１１・・・は、硬質な回路基板１２に実装され、押圧式又は接触式の作動部１３を有する。また、図１に示すように、防水カバー５を取付ける前の状態で、複数のスイッチ１１，１１・・・及び回路基板１２の上面は露出している。
【００２５】
前記防水カバー５は中空構造であって、その上板部１４に複数の前記スイッチ１１，１１・・・に対応する複数の操作部１５〜１５Ｔが設けられ、その下板部１６に前記開口部４が形成されている。また、前記上板部１４と下板部１６の左右は、外周が湾曲状の左，右側板部１７Ｌ，１７Ｒにより連結され、さらに、前記上板部１４と下板部１６と左，右側板部１７Ｌ，１７Ｒの前後は、平板状の前板部１８と後板部１９により塞がれている。
【００２６】
前記防水リモコン１が例えばテレビ用の場合、前記操作部として、前側から左右に電源操作部１５，入力切替操作部１５Ａ、左右に３つ並んだモード操作部１５Ｂ，１５Ｃ，１５Ｄ、左右に３列並ぶと共に、前後に４行並んだ数値操作部１５Ｅ〜１５Ｐ、左の音量操作部１５Ｑ、右の選局操作部１５Ｒと、これら音量操作部１５Ｑと選局操作部１５Ｒの間で前後に並んだ画面表示操作部１５Ｓと消音操作部１５Ｔとを備える。
【００２７】
この場合、前記音量操作部１５Ｑと選局操作部１５Ｒは、前後方向に長く形成されて前後２つのスイッチ１１，１１を操作可能であり、これら２つのスイッチ１１，１１に対応して２つの操作凹部２２，２２が設けられる。これに対し、他の操作部は、１つのスイッチ１１のみを操作可能であり、一つのスイッチ１１に対応して一つの操作凹部２２が設けられる。従って、例えば、音量操作部１５Ｑでは、２つのスイッチ１１，１１の一方（前側のスイッチ）を押す操作を行うことにより音量を上げ、他方（後側のスイッチ）を押す操作を行うことにより音量を下げることができる。
【００２８】
図４などに示すように、前記操作部１５〜１５Ｔは、前記防水カバー５の上板部１４の上面に、操作凸部２１をそれぞれ有すると共に、前記上板部１４の下面１４Ｋには、前記スイッチ１１を収納する操作凹部２２を有し、前記下面１４Ｋが前記回路基板１２に当接する。
【００２９】
また、前記上板部１４において、下面１４Ｋが回路基板１２に当接する部分が当接部２３であり、この当接部２３は、上板部１４の前記フレーム体３の上面前側を覆う部分（図４の右側）に比べて、肉厚に形成され、前記当接部２３と前記操作凸部２１との間には操作薄肉部２４が形成されている。なお、平面視において、操作凹部２２は操作凸部２１より僅かに大きく形成され、前記当接部２３と操作凸部２１の間に前記操作薄肉部２４が設けられている。そして、前記操作部１５〜１５Ｔは、それぞれ操作凸部２１と操作凹部２２と操作薄肉部２４とを有する。
【００３０】
従って、操作凸部２１を押すと、操作薄肉部２４が変形することより、操作凸部２１がスムーズに下がり、スイッチ１１の作動部１３を円滑に押すことができる。
【００３１】
前記フレーム体３は、前後方向に長く、左右幅寸法が高さ寸法より大きく、下面部３１と、左，右側面部３２Ｌ，３２Ｒと、前面部３３と、後面部３４とを一体に備える。前記フレーム体３の前側には前面部材３５が設けられ、これらフレーム体３及び前面部材３５は、それぞれ硬質な合成樹脂からなる。なお、前記前面部材３５は透光性部材から構成されている。
【００３２】
前記フレーム体３の上面は開口し、前記左，右側面部３２Ｌ，３２Ｒと左右方向に間隔を置いて、左，右仕切り板３６Ｌ，３６Ｒが前記下面部３１から立設され、左側面部３２Ｌの内面と左仕切り板３６Ｌの外面との間には、左右方向の板リブ３７，３７・・・が前後において間隔を置いて設けられ、これら板リブ３７，３７・・・は左側面部３２Ｌと左仕切り板３６Ｌと下面部３１とを連結している。また、右側面部３２Ｒの内面と右仕切り板３６Ｒの外面との間には、左右方向の板リブ３７，３７・・・が前後に間隔を置いて設けられ、これら板リブ３７，３７・・・は右側面部３２Ｒと右仕切り板３６Ｒと下面部３１とを連結している。
【００３３】
そして、前記左，右仕切り板３６Ｌ，３６Ｒの上端間に前記回路基板１２が配置されており、前記左，右側面部３２Ｌ，３２Ｒ、左，右仕切り板３６Ｌ，３６Ｒ及び板リブ３７，３７・・・により、左右の中空壁体構造３８Ｌ，３８Ｒを構成し、これら中空壁体構造３８Ｌ，３８Ｒにより回路基板１２が囲われて、衝撃などから回路基板１２を保護している。
【００３４】
図１及び図４に示すように、前記前面部材３５は、板状の前面部４１を有する枠体４２と、この枠体４２の上側後部から後側に突設した取付片４３とを一体に備え、前記枠体４２が前記フレーム体３の前側に外嵌するようにして固定されている。
【００３５】
図４に示すように、前記前面部４１の後面には、光信号発生部たるＬＥＤ４４が挿入される受け筒部４５が設けられ、この受け筒部４５に対応して前記前面部４１の外面に略円形の位置決め凸部４６を設けている。また、前記ＬＥＤ４４は、その端子部４４Ａが前記回路基板１２に電気的に接続されている。
【００３６】
前記フレーム体３の前記下面部３１の上面側における、前記電池収納室２の前後には、取付用ボス部５１，５２が突設されている。また、前記下面部３１の上面側には、複数の蓋取付用ボス部５３，５４が突設されている。前側の取付用ボス部５１の上面（先端面）に前記回路基板１２の下面が当接し、この回路基板１２の上面に前記取付片４３の下面が沿い、この取付片４３の透孔４３Ｔと回路基板１２の透孔１２Ｔに、ビス５５を挿通し、このビス５５を取付用ボス部５１に螺合させることにより、フレーム体３の前側において、取付用ボス部５１に回路基板１２と取付片４３が固定されている。
【００３７】
また、後側の取付用ボス部５２の上面（先端面）に前記回路基板１２の下面が当接し、回路基板１２の透孔１２Ｔにビス５５を挿通し、このビス５５を前記取付用ボス部５２に螺合させることにより、フレーム体３の後側において、取付用ボス部５２に回路基板１２が固定されている。
【００３８】
前記電池収納室２は、フレーム体３の後寄りに配置され、前後方向に長く形成され、２本の電池６３が収納可能な大きさを有している。また、電池収納室２の前後に前記ボス部５３，５４が配置されており、図２などに示すように、電池収納室２とボス部５３，５４を囲む範囲に長円形の凹段部５６が形成され、この凹段部５６は、下面部３１の下面よりも上側に凹んでいる。
【００３９】
そして、前記凹段部５６の周囲には、左，右段差部５７Ｌ，５７Ｒと、これら左，右段差部５７Ｌ，５７Ｒの前後を連結する前，後段差部５８，５９とが連続した段差部６０が設けられており、即ち前記凹段部５６は段差部６０により囲まれた範囲であり、前記左，右段差部５７Ｌ，５７Ｒは直線状で相互に平行に形成され、前，後段差部５８，５９は略半円状に形成されている。
【００４０】
図４及び図７などに示すように、前記電池収納室２は、左，右側板部６１Ｌ，６１Ｒと、前，後側板部６１Ｆ，６１Ｂとを備え、これら側板部６１Ｌ，６１Ｒ，６１Ｆ，６１Ｂの下端面（先端面）は面一に形成されている。また、前記電池収納室２の底板部６２には、電池６３が係合する湾曲面６４が形成され、前記底板部６２の上面に平坦部６５を形成し、この平坦部６５に前記回路基板１２の下面が当接する。
【００４１】
図２、図４及び図７などに示すように、前記段差部６０の内側には、該凹段部５６と略相似形のフレーム側凹部たる溝部７１が電池収納室２を囲むように周設され、この溝部７１は長円形をなす。
【００４２】
また、前記防水カバー５の開口部４には、前記段差部６０に対応して、カバー側段差部７２が形成され、図４などに示すように、前記カバー側段差部７２が前記段差部６０に対応し、さらに、前記カバー側段差部７２の位置より内側で開口部４側の内面には、前記溝部７１に対応して、カバー側凸部たるカバー側突条７３を突設し、このカバー側突条７３の先端に溝部７４を形成している。
【００４３】
また、開口部４の長さは、前面部材３５を含むフレーム体３の長さの０．５〜０．７倍、開口部４の幅は、前面部材３５を含むフレーム体３の幅の０.３５〜０.６倍である。理由は、開口部４が小さすぎると、フレーム体３への取付が煩雑となり、一方、開口部４が大きいと、防水箇所が長くなるためである。また、開口部４の長さは、電池６３の長さよりも長く、開口部４の幅は、電池６３を二つ並べた長さよりも長い。
【００４４】
そして、前記溝部７１に前記カバー側突条７３が係入される。また、カバー側突条７３に対応して、前記開口部４側の外面には、突条部７５が周設されている。なお、カバー側突条７３は平面視長円形で連続形成されている。また、図６及び図７に示すように、前記突条部７５は、前記溝部７４の外側に設けられる。
【００４５】
前記前，後段差部５８，５９の内側には、前記電池蓋６の前後を螺子体９２，９２により取付ける取付下面部８０Ｆ，８０Ｂが設けられ、これら取付下面部８０Ｆ，８０Ｂは平面視略Ｄ字形をなす。これら取付下面部８０Ｆ，８０Ｂには、前記側板部６１Ｌ，６１Ｒ，６１Ｆ，６１Ｂの下端面と同一高さで平面略Ｕ字状の下面外側部８１と、この下面外側部８１の内側に設けた下面内側部８２とがそれぞれ設けられ、図４に示すように、前記下面外側部８１と下面内側部８２との境目に外段差部８３を設け、この外段差部８３により下面内側部８２が下面外側部８１より一段低く形成されている。また、図４などに示すように、前記下面外側部８１に前記溝部７１が形成されている。
【００４６】
また、前記下面内側部８２に、前記外段差部８３と略相似形で平面略Ｕ字形の突条８４が突設されている。さらに、図４に示すように、前記前，後段差部５８，５９の内側において、前記開口部４の開口縁４Ｆは、前記下面外側部８１に収納されると共に、前記開口縁４Ｆ部分の外面が前記下面内側部８２と面一になる。
【００４７】
前記下面内側部８２の中央部には、略裁頭円錐形の中央凹部８５が形成され、前後の前記中央凹部８５，８５の中央に、前後の前記蓋取付用ボス部５３，５４が位置している。それら取付用ボス部５３，５４の上端面（先端面）に前記回路基板１２が当接し、取付用ボス部５３，５４の孔部５３Ａ，５４Ａは下面側に開口し、それら孔部５３Ａ，５４Ａにナット体８６をそれぞれ固定している。
【００４８】
前記電池蓋６は、金属板からなる蓋本体９１と、この蓋本体９１の前後に設けた前記螺子体９２，９２とを備える。前記蓋本体９１の外形は、前記凹段部５６と略相似形の長円形で、図４に示すように、前記カバー側段差部７２より僅かに小さく形成されている。また、前記蓋本体９１には平面長円形の蓋段差部９３を形成し、中央より外縁部９１Ｆが一段高く形成されている。
【００４９】
前記蓋本体９１の前後には、前記前，後ボス部５３，５４に対応して、裁頭円錐形の蓋凹部９４，９４が形成され、この蓋凹部９４の中央に透孔９４Ｔを穿設し、この透孔９４Ｔに前記螺子体９２の螺子棒９５を遊挿し、螺子体９２の頭部９６を前記蓋凹部９４に収納している。なお、前記頭部９６には工具係合部たるマイナス溝が形成されている。
【００５０】
また、前記螺子棒９５の基端側に螺子を形成しない径小部９５Ａを設け、この径小部９５Ａに抜け止め部材たるＣリング９７を係止し、このＣリング９７により蓋本体９１に螺子体９２を回動可能で且つ抜け止め状態に保持している。さらに、蓋本体９１の内面には、電池６３を押さえるための発泡ゴムからなる押さえ部材９８が取り付けられている。
【００５１】
図５などに示すように、フレーム体３の左，右側面部３２Ｌ，３２Ｒの外面には、平坦部３９，３９が形成され、これら平坦部３９，３９に対応して、前記防水カバー５の左，右側板部１７Ｌ，１７Ｒの内側に、平坦部２０，２０が形成されている。
【００５２】
また、図５の上側左右に位置する当接部２３Ａ，２３Ａの下端は前記板リブ３７の上端に当接する。さらに、左右側面部３２Ｌ，３２Ｒの上端３２Ｔ，３２Ｔは、前記防水カバー５の内面に設けた係合溝２６，２６に係入する。
【００５３】
図４に示すように、前記防水カバー５の前板部１８の内面には、前記位置決め凸部４６が係合する係合凹部２７が形成されており、この係合凹部２７を設けた箇所が薄肉部２８であり、この薄肉部２８は前板部１８の他の部分より薄く、透光性に優れたものとなる。
【００５４】
図２及び図４などに示すように、防水カバー５の下板部１６の下面には、四方に突起状の脚部２９が設けられている。そして、図５などに示すように、脚部２９の下端の位置より、電池蓋６の蓋本体９１の下面が上方に位置し、さらに、防水カバー５の下板部１６の下面の位置より、電池蓋６の蓋本体９１の下面が上方に位置する。従って、防水リモコン１をテーブルなどの被載置面に置いても、電池蓋６が被載置面に接することがない。
【００５５】
上記のような防水リモコン１においては、製造時にフレーム体３に防水カバー５を被せ、該防水カバー５により電池収納室２以外を覆い、電池収納室２の周囲に形成された溝部７１にカバー側突条７３を嵌入する。このように、カバー側突条７３を溝部７１に挿入することで、フレーム体３に対して防水カバー５の開口縁４Ｆ部分全体が位置決めされるので、この開口縁４Ｆ部分をフレーム体３と電池蓋６とで確実に挟持して高い止水性が得られる。更に、前述した通り、カバー側突条７３に溝部７４が形成され、この溝部７４の外側に外向きの突条部７５が形成され、この突条部７５に電池蓋６が押し付けられるようになっている。このため、突条部７５が電池蓋６によって押されると、突条部７５自身が押し潰されるように弾性変形するばかりでなく、開口縁４Ｆ部分が弾性変形して溝部７４側に押し込まれ易くなっている。従って、開口縁４Ｆ部分が溝部７４側に弾性変形する分、突条部７５の高さを高くすることができる。この結果、突条部７５と電池蓋６とが水密に密着できる締付範囲（換言すれば、フレーム体３と電池蓋６との距離範囲）を広くすることができる。即ち、螺子体９２，９２を緩く締め付けても（フレーム体３と電池蓋６とがやや離れていても）、突条部７５の高さが高いため、この突条部７５の先端が電池蓋６に水密に密着する。一方、螺子体９２，９２をきつく締め付けると、開口縁４Ｆ部分が溝部７４側に押し込まれるので、突条部７５の高さが高くても、奥まで締め付けることができる。この結果、広い締付範囲で突条部７５と電池蓋６とを水密に密着させることができるので、防水性を向上させることができる。
【００５６】
電池６３の交換後に、前後の螺子体９２をボス部５３，５３に螺合させて電池収納室２に電池蓋６を取り付けると、防水カバー５の開口縁４Ｆ部分が、電池蓋６の周囲内面と電池収納室２の周囲の下面外側部８１との間に挟着されるため、防水性の高い構造が得られる。
【００５７】
以上のように本実施例は、電池収納室２及び一つ又は複数のスイッチ１１が設けられたフレーム体３と、前記電池収納室２に対応する開口部４及び前記スイッチ１１に対応する操作部１５〜１５Ｔが設けられた一体成形の防水カバー５と、前記電池収納室２を覆う電池蓋６とを有し、前記フレーム体３が前記防水カバー５内に収容されると共に、前記防水カバー５の開口部４の開口縁４Ｆ部分が前記フレーム体３と前記電池蓋６とで挟持されることで、前記防水カバー５と前記電池蓋６とが水密に密着するように構成されるから、一箇所で且つ短い接触長さの防水構造によって、前記フレーム体３への水の浸入を防止することができる。
【００５８】
また、前記防水カバー５の内面の開口縁４Ｆ部分に凸部たるカバー側突条７３が形成され、前記フレーム体３の前記電池収納室２の外側に、前記カバー側突条７３に対応して凹部たる溝部７１が形成されると共に、前記カバー側突条７３と前記溝部７１が係合することで、前記防水カバー５の開口縁４Ｆ部分が前記フレーム体３に対して位置決めされるように構成したから、前記防水カバー５の開口縁４Ｆ部分を確実に前記フレーム体３と電池蓋６とで挟持して、前記フレーム体３への水の浸入を確実に防止することができる。
【００５９】
また、前記カバー側突条７３が、前記開口縁４Ｆ部分の全周に渡って形成されると共に、前記溝部７１が、前記電池収納室２の全周を囲むように形成されているから、前記防水カバー５の開口縁４Ｆ部分全体が前記フレーム体３に対して確実に位置決めされ、前記防水カバー５の開口縁４Ｆ部分全体を確実に前記フレーム体３と電池蓋６とで挟持して、前記フレーム体３への水の浸入を確実に防止することができる。
【００６０】
また、前記フレーム体３に凹段部５６が形成され、この凹段部５６に前記電池収納室２が設けられると共に、前記フレーム体３に取付けた状態で前記電池蓋６の外面が対応する前記防水カバー５の外面より内側に位置するから、例えば、前記電池蓋６の厚さ寸法が、前記凹段部５６の段差寸法以下とされることにより、リモコンをテーブル等に置いた際に前記電池蓋６がテーブル等に触れないようにして、このテーブル等が傷つかないようにすることができる。
【００６１】
また、前記防水カバー５が、伸縮性及び可撓性を有する材質により形成されると共に、前記開口部４の開口面積が拡張した状態で前記フレーム体３が前記防水カバー５内に挿入可能な構造であるから、前記防水カバー５の開口縁４Ｆ部分と電池蓋６との接触長さを最小限として、前記フレーム体３への水の浸入をより確実に防止することができる。
【００６２】
また、前記フレーム体３が光信号発信部たるＬＥＤ４４を有すると共に、前記防水カバー５の前板部１８が、前記ＬＥＤ４４が発する光に対し透光性を有する材料で形成されるから、前記防水カバー５に継ぎ目を作る必要がなく、前記フレーム体３への水の浸入をより確実に防止することができる。
【００６３】
更に、前記光信号発信部たるＬＥＤ４４に対応して前記防水カバー５の前板部１８に薄肉部２８を形成したから、薄肉部２８の透光性を向上させることができる。
【００６４】
以下、実施例上の効果として、開口部４はフレーム体３の長さ方向に長い長円形状をなすから、長円形の開口部４を拡張してフレーム体３をスムーズに外装することができると共に、開口縁４Ｆ部分が破れにくい。
【００６５】
また、操作部１５〜１５Ｔは、それぞれ操作凸部２１と操作凹部２２と操作薄肉部２４とを有するから、操作凸部２１を押すと、操作薄肉部２４が変形することより、スイッチ１１の作動部１３を円滑に作動させることができる。
【００６６】
また、回路基板１２の上面に取付片４３を配置し、この取付片４３の透孔４３Ｔと回路基板１２の透孔１２Ｔに、ビス５５を挿通し、このビス５５を取付用ボス部５１に螺合させることにより、フレーム体３の前側において、フレーム体３に回路基板１２と前面部材３５を同時に固定することができる。
【００６７】
また、開口部４側の外面には、突条部７５が周設されているから、開口部４側の外面と電池蓋６に挟まれて突条部７５が潰れるように弾性変形することにより、防水効果を向上できる。更に、カバー側突条７３に溝部７４が形成され、この溝部７４の外側に外向きの突条部７５が形成され、この突条部７５に電池蓋６が押し付けられることで、開口縁４Ｆ部分が弾性変形して突条部７５が溝部７４に押し込まれ易くなっているので、開口縁４Ｆ部分が弾性変形する分、突条部７５の高さを高くでき、この結果、広い締付範囲で突条部７５と電池蓋６とを水密に密着させることができるので、防水性を向上させることができる。
【００６８】
また、前記防水カバー５の前板部１８の内面には、位置決め凸部４６が係合する係合凹部２７が形成されているから、フレーム体３に対する防水カバー５の上板部１４の位置決めを確実に行なうことができ、操作凸部２１を押す操作を繰り返しても、上板部１４がずれることがない。
【００６９】
また、前記下面内側部８２に、平面略Ｕ字形の突条８４が突設され、この突条８４が蓋本体９１の内面に当接するから、蓋本体９１により防水カバー５の開口縁４Ｆ部分が必要以上に潰されることがないと共に、突条８４が蓋本体９１の内面に当接することにより、フレーム体３と電池蓋６とのクリアランスが一定となるから、均等に開口縁４Ｆ部分を圧縮することができる。
【実施例２】
【００７０】
図８は本発明の実施例２を示し、上記実施例１と同一部分に同一符号を付し、その説明を省略して詳述する。同図は凸部と凹部の変形例を示す。
【００７１】
同図に示すように、この例では、防水カバー５の開口縁４Ｆ部分の内面に、凹部たる溝部７７を形成し、この溝部７７に係入する凸部たるフレーム側突条７８を、前記電池収納室２の周囲で前記凹段部５６内に設けている。この例では、前記下面外側部８１にフレーム側突条７８を設けている。なお、開口縁４Ｆ部分における溝部７７の反対側となる外側には、鎖線で示す突条部７９が設けられており、溝部７７とフレーム側突条７８を係合させ、開口縁４Ｆ部分を電池蓋６で圧縮することにより、前記突条部７９が潰れるように弾性変形し、これにより防水カバー５と電池蓋６とが水密に密着する。
【００７２】
以上のように本実施例では、前記防水カバー５の内面の開口縁４Ｆの部分に凹部たる溝部７７が形成され、前記フレーム体３の前記電池収納室２の外側に凸部たるフレーム側突条７８が形成されると共に、前記溝部７７と前記フレーム側突条７８が係合することで、前記防水カバー５の開口縁４Ｆ部分が前記フレーム体３に対して位置決めされるように構成したから、上記実施例１と同様な作用・効果を奏する。
【００７３】
なお、本発明は以上の実施例に限定されるものではなく、発明の要旨の範囲内で種々の変実施が可能である。例えば、上記実施例では、フレーム体は、複数のスイッチを有するものを示したが、各種機器のオン・オフのみを行う１つのスイッチを有するものでもよい。また、電池蓋は金属製のものを例示したが、合成樹脂製などでもよい。
【符号の説明】
【００７４】
１  防水リモコン
２  電池収納室
３  フレーム体
４  開口部
４Ｆ  開口縁
５  防水カバー
６  電池蓋
２８  薄肉部
４４  ＬＥＤ（光信号発信部）
５６  凹段部
７１  溝部（フレーム側凹部・凹部）
７３  カバー側突条（カバー側凸部・凸部）
７７  溝部（カバー側凹部・凹部）
７８  フレーム側突条（フレーム側凸部・凸部）
【図１】
2018032834.tif 000003
【図２】
2018032834.tif 000004
【図３】
2018032834.tif 000005
【図４】
2018032834.tif 000006
【図５】
2018032834.tif 000007
【図６】
2018032834.tif 000008
【図７】
2018032834.tif 000009
【図８】
2018032834.tif 000010